(57)【要約】  【課題】通水路に残存する水を加熱する電気ヒータ等の加熱手段で消費するエネルギーを低減することにより、給湯器の消費（運転）エネルギーの低減を図る。  【解決手段】外気温度および水温度のいずれかが所定の温度以下となった際に、通水路１１の上流側と閉じ、かつ、下流側を開くことにより（ｓ５５０，ｓ５６０）、通水路１１に残された水を通水路１１の下流側から排出することができる。そのため、この「所定温度」を通水路内に残された水が凍結する可能性がある範囲外に設定しておくことにより、この水が凍結する前に通水路１１の下流側から排出することで、水の凍結による通水路１１の破損を防止することができる。このように、外気温度または水温度に応じて水を排出することで通水路１１の破損を防止できることから、通水路１１に残存する水を加熱する凍結防止用ヒータ６１への通電量を低減することが可能となる。【選択図】図５
2011141103.tif 000002
【特許請求の範囲】
【請求項１】
給水された水を加熱して浴槽に出湯可能な給湯器であって、
当該給湯器外部から給水された水が流通する通水路と、
前記通水路の上流側を開閉する止水手段と、
前記通水路の下流側を開閉する給水手段と、
外気温度を特定する外気温特定手段と、
前記通水路を流通する水の温度（水温度）を特定する水温特定手段と、
前記外気温特定手段により特定された外気温度、および、前記水温特定手段により特定された水温度のうち、少なくともいずれかの温度が所定温度以下となった際、前記止水手段により前記通水路の上流側を閉じると共に、前記給水手段により前記通水路の下流側を開く開閉制御手段と、を備えている
ことを特徴とする給湯器。
【請求項２】
前記通水路のうち前記止水手段より下流側であって前記給水手段より上流の連結部位を大気側と連通可能な状態とする大気連通手段、を備えており、
前記開閉制御手段は、前記外気温度および前記水温度のうち、少なくともいずれかの温度が所定温度以下となった際に、前記止水手段により前記通水路の上流側を閉じ、前記給水手段により前記通水路の下流側を開くと共に、前記大気連通手段により前記連結部位を大気側と連通させる
ことを特徴とする請求項１に記載の給湯器。
【請求項３】
前記通水路を加熱する加熱手段と、
前記開閉制御手段による前記通水路における開閉動作以降、前記水温特定手段により特定された水温度の履歴に基づいて、前記通水路中に水が残されているか否かを推定する推定手段と、を備えており、
前記開閉制御手段は、前記推定手段により水が残されていることが推定された場合に前記加熱手段により前記通水路を加熱させる
ことを特徴とする請求項１または請求項２に記載の給湯器。
【発明の詳細な説明】
【技術分野】
【０００１】
本発明は、浴槽に出湯可能な給湯器に関する。
【背景技術】
【０００２】
給湯器は、供給された水をバーナや電気ヒータ等の加熱手段を用いて加熱し、こうして加熱した温水を浴槽等に供給する装置である。
この種の給湯器では、冬期等の気温が低い環境下で動作していないとき、給湯器内の通水路（通水管）に残存する水が凍結して通水路が破損してしまうおそれがあるため、このような凍結を防止するための技術が種々提案されている。例えば、特許文献１に記載の発明では、通水路に残存する水を加熱する電気ヒータを設けている。
【先行技術文献】
【特許文献】
【０００３】
【特許文献１】特開平６−２６５２０８号公報
【発明の概要】
【発明が解決しようとする課題】
【０００４】
しかし、この構成では、電気ヒータによる加熱を継続的に行わなければならず、地球温暖化対策や燃料費高騰等の見地から要望されているエネルギー低減の流れにそぐわない。
本発明は、上記点に鑑み、通水路に残存する水を加熱する電気ヒータ等の加熱手段で消費するエネルギーを低減することにより、給湯器の消費（運転）エネルギーの低減を図ることを目的とする。
【課題を解決するための手段】
【０００５】
上記課題を解決するため第１の構成は、給水された水を加熱して浴槽に出湯可能な給湯器であって、当該給湯器外部から給水された水が流通する通水路と、前記通水路の上流側を開閉する止水手段と、前記通水路の下流側を開閉する給水手段と、外気温度を特定する外気温特定手段と、前記通水路を流通する水の温度（水温度）を特定する水温特定手段と、前記外気温特定手段により特定された外気温度、および、前記水温特定手段により特定された水温度のうち、少なくともいずれかの温度が所定温度以下となった際、前記止水手段により前記通水路の上流側を閉じると共に、前記給水手段により前記通水路の下流側を開く開閉制御手段と、を備えている。
【０００６】
このように構成された給湯器によれば、外気温度および水温度のいずれかが所定の温度以下となった際に、通水路の上流側を閉じ、かつ、下流側を開くことにより、通水路に残された水を通水路の下流側から排出することができる。
【０００７】
そのため、この「所定温度」を通水路内に残された水が凍結する可能性がある範囲外に設定しておけば、この水が凍結する前に通水路の下流側から排出することで、水の凍結による通水路の破損を防止することができる。
【０００８】
このように、外気温度または水温度に応じて水を排出することで通水路の破損を防止できることから、通水路に残存する水を加熱する電気ヒータ等を廃止したり、電気ヒータへの通電量を低減したり、といったことが可能となり、結果的に給湯器の消費（運転）エネルギーを低減することができる。
【０００９】
また、この構成は、以下に示す第２の構成（請求項２）のようにするとよい。
第２の構成は、前記通水路のうち前記止水手段より下流側であって前記給水手段より上流の連結部位を大気側と連通可能な状態とする大気連通手段、を備えている。そして、前記開閉制御手段は、前記外気温度および前記水温度のうち、少なくともいずれかの温度が所定温度以下となった際に、前記止水手段により前記通水路の上流側を閉じ、前記給水手段により前記通水路の下流側を開くと共に、前記大気連通手段により前記連結部位を大気側と連通させる。
【００１０】
この構成であれば、通水路における連結部位を大気と連通することにより、大気側から通水路の下流側に至る空気の流路を形成できるため、通水路に残存する水をより排出しやすくすることができる。
【００１１】
この構成における連結部位は、止水手段より下流側、かつ、給水手段より上流に設けられていればよいが、例えば、止水手段から給水手段へと至る経路のうち、給水手段に対して高さ方向に最も離れた位置に配置することが望ましい。
【００１２】
また、上記各構成は、以下に示す第３の構成（請求項３）のようにするとよい。
第３の構成は、前記通水路を加熱する加熱手段と、前記開閉制御手段による前記通水路における開閉動作以降、前記水温特定手段により特定された水温度の履歴に基づいて、前記通水路中に水が残されているか否かを推定する推定手段と、を備えており、前記開閉制御手段は、前記推定手段により水が残されていることが推定された場合に前記加熱手段により前記通水路を加熱させる。
【００１３】
この構成であれば、通水路の開閉が行われた以降、通水路内に水が残されていると推定される場合に、通水路を加熱して水が凍結しないようにすることができ、これにより、凍結による通水路の破損を防止することができる。
【００１４】
この構成における推定手段は、水温度の履歴に基づいて水が残されているか否かを判定するものであればよく、例えば、水温度の履歴で規定される温度推移のパターンと、外気温における温度推移のパターンとを対比し、両パターンの相関性が他と比べて低下している時間帯があることをもって、通水路内に水が残されていると判定すればよい。
【００１５】
例えば、通水路の開閉が行われた以降、一定時間だけ加熱手段による加熱を実施し、その後に検出される水温度の変化パターンが、通水路に水が残っていない場合におけるパターンと所定のしきい値以上相違している（具体的には、温度変化が遅い）ことをもって、通水路内に水が残されていると判定することとしてもよい。
【図面の簡単な説明】
【００１６】
【図１】給湯器の全体構成を示す図
【図２】手動給湯動作を示すフローチャート
【図３】風呂給湯動作を示すフローチャート
【図４】予約運転動作を示すフローチャート
【図５】凍結防止動作を示すフローチャート
【発明を実施するための形態】
【００１７】
以下に本発明の実施形態を図面と共に説明する。
（１）全体構成
給湯器は、図１に示すように、給水された水を加熱して出湯する給湯部１と、浴槽１００に貯留された水を保温する保温部３と、各部の動作を制御する制御部５と、を備える。
【００１８】
給湯部１は、外部から給水される水を出湯箇所まで通水する通水路１１、通水路１１の途中に介挿された給湯側熱交換器１３、通水路１１において給湯側熱交換器１３が設けられた経路を加熱するガスバーナ１５などで構成されている。なお、本実施形態においては、浴槽１００、および、給湯栓２００直下が出湯箇所となっている。
【００１９】
これらのうち、通水路１１には、給湯側熱交換器１３より上流側に、外部から給水される水の温度（入水温度）を検出する入水温検出センサ１７および凍結防止用ヒータ６１が設けられ、同経路の下流側２箇所に、この経路を経て加熱された水の温度を検出する加熱温度検出センサ１９が設けられている。
【００２０】
また、通水路１１には、上流側（給水側）から順に、給水される水を濾過するストレーナ２１、給水される水の水量を検出する水量センサ２３、通水路１１における水量を制御する水量制御弁２５が設けられている。
【００２１】
また、通水路１１の下流側（出湯箇所側）では、浴槽１００側へと至る風呂行き流路２７が分岐しており、この風呂行き流路２７には、風呂行き流路２７を開閉して通水を制御する通水弁２８、風呂行き流路２７を経て浴槽１００側へと供給された水量（総量）を検出するための落とし込み水量センサ２９が設けられている。
【００２２】
また、通水路１１のうち、給湯側熱交換器１３より下流側には、通水路１１を大気と連通する連結部位６３が形成されており、この連結部位６３には、通水路１１を開閉して通水を制御する連通弁６５が設けられている。この連結部位６３は、水量制御弁２５から通水弁２８へと至る経路のうち、通水弁２８に対して高さ方向に最も離れた位置に配置されている。
【００２３】
なお、通水路１１には、通常の給水源（水道管）だけでなく、太陽光温熱器３００からの給水を受けるための温熱路３１０を接続可能とし、この太陽光温熱器３００からも選択的に給水を受けられるように構成してもよい。
【００２４】
保温部３は、浴槽１００との間で水を循環可能な経路として浴槽１００に接続された循環路３１、浴槽１００に貯留された水を浴槽１００と循環路３１との間で循環させる循環ポンプ３３、循環路３１における一部経路の外周に設けられた保温側熱交換器３５、循環路３１において保温側熱交換器３５が設けられた経路を加熱するガスバーナ３７、循環路３１における一部経路の外周に設けられた送風側熱交換器４１、循環路３１において送風側熱交換器４１が設けられた経路に向けて送風する送風機４３などで構成されている。
【００２５】
これらのうち、循環ポンプ３３は、循環路３１において水が循環する経路の上流側、具体的には保温側熱交換器３５と浴槽１００との間に設けられている。
また、循環路３１には、水が循環する経路の上流側に、浴槽１００に貯留されていた水の温度を検出する浴槽温度検出センサ４５が設けられ、同経路の下流側に、保温側熱交換器３５が設けられた経路を経て加熱された水の温度を検出する加熱温度検出センサ４７が設けられている。
【００２６】
また、この循環路３１には、水が循環する経路の上流側、具体的には浴槽１００と循環ポンプ３３との間に風呂行き流路２７が接続されており、風呂行き流路２７から供給される水は、この接続部から循環路３１を介して浴槽１００に落とし込まれる。
【００２７】
また、送風側熱交換器４１は、循環路３１において水が循環する経路の下流側、具体的には保温側熱交換器３５が設けられた経路よりも下流側に設けられている。
制御部５は、内蔵するマイコンなどにより各部の動作を制御するコントローラ５１、浴室外でユーザの操作を受け付けるメインリモコン５３、浴室内でユーザの操作を受け付けるサブリモコン５５などで構成されている。これらのうち、サブリモコン５５には、浴槽１００周辺の外気温度を検出する外気温検出センサ５７が備えられている。
（２）給湯器の動作
上述した給湯器は、ユーザの操作を受けた際に、コントローラ５１が各部の動作を制御することにより、以下に示す各種動作を行う。なお、以下の動作は、スタンバイ状態（電源オン）になっていることを条件に行われる。
（２−１）手動給湯動作
はじめに、給湯栓２００が開かれることにより開始される手動給湯動作の手順を図２に基づいて説明する。
【００２８】
まず、コントローラ５１は、水量センサ２３に検出される通水路１１内の水量を監視し、その水量が一定以上になるまで待機状態となる（ｓ１３０：ＮＯ）。
そして、水量センサ２３に検出される水量が一定以上となった場合に（ｓ１３０：ＹＥＳ）、コントローラ５１は、ガスバーナ１５による通水路１１の加熱を開始させる（ｓ１４０）。このときの加熱は、加熱温度検出センサ１９に検出された温度が、あらかじめ設定された設定温度付近で保たれるように制御される。
【００２９】
その後、コントローラ５１は、水量センサ２３に検出される水量が一定以上となっている間（ｓ１５０：ＮＯ）、ガスバーナ１５による通水路１１の加熱を継続し、水量が一定未満となったら（ｓ１５０：ＹＥＳ）、その加熱を停止させる（ｓ１６０）。
【００３０】
ここまでの動作は、給湯器がスタンバイ状態となっている間、繰り返される。
なお、給湯器のスタンバイ状態が解除（電源オフ）された場合には、上述したガスバーナ１５による通水路１１の加熱は停止され、手動給湯動作が直ちに終了する。
（２−２）風呂給湯動作
続いて、ユーザがメインリモコン５３またはサブリモコン５５に対し、浴槽１００への給湯を行う旨の操作（例えば、特定のスイッチ操作）を行うことにより開始される風呂給湯動作の手順を図３に基づいて説明する。
【００３１】
まず、コントローラ５１は、通水弁２８に風呂行き流路２７を開放させることで、通水路１１から浴槽１００へと至る経路を形成する（ｓ２１０）。
次に、コントローラ５１は、水量制御弁２５を動作させることで、通水路１１への一定水量での入水を開始させる（ｓ２２０）。
【００３２】
こうして、通水路１１への入水が開始されたら、コントローラ５１は、水量センサ２３に検出される水量が一定以上になるまで待機状態となり（ｓ２３０：ＮＯ）、一定以上となった場合に（ｓ２３０：ＹＥＳ）、コントローラ５１は、ガスバーナ１５による通水路１１の加熱を開始させる（ｓ２４０）。このときの加熱は、上記と同様、設定温度付近で保たれるように制御される。
【００３３】
これにより、通水路１１から風呂行き流路２７および循環路３１の一部を介して、浴槽１００への出湯が行われるようになる。
その後、コントローラ５１は、落とし込み水量センサ２９にて検出された水量の総量が、あらかじめ設定された設定水量に到達するまでの間（ｓ２５０：ＮＯ）、ガスバーナ１５による通水路１１の加熱を継続し、水量の総量が設定水量に到達したら（ｓ２５０：ＹＥＳ）、その加熱を停止させる（ｓ２６０）。
【００３４】
次に、コントローラ５１は、水量制御弁２５を動作させることで、通水路１１への入水を停止させる（ｓ２７０）。
次に、コントローラ５１は、通水弁２８に風呂行き流路２７を閉鎖させることで、通水路１１から浴槽１００への経路を閉鎖する（ｓ２８０）。
【００３５】
上記のように、通水路１１への入水が停止され（ｓ２７０）、通水路１１から浴槽１００への経路が閉鎖され（ｓ２８０）、上述したガスバーナ１５による通水路１１の加熱が停止された後、風呂給湯動作が終了する。
【００３６】
次に、コントローラ５１は、浴槽１００に貯留された水の保温を行う「保温モード」に設定されているか否かがチェックされる（ｓ３１０）。この保温モードとは、浴槽１００に貯留された水の保温を行う動作モードであり、メインリモコン５３またはサブリモコン５５に対する特定の操作で設定または設定解除がなされる。
【００３７】
ここで「保温モード」に設定されていない場合（ｓ３１０：ＮＯ）、風呂給湯動作が終了する。
一方、「保温モード」に設定されている場合（ｓ３１０：ＹＥＳ）、コントローラ５１は、循環ポンプ３３を作動させることにより、浴槽１００に貯留された水の循環を開始させる（ｓ３２０）。
【００３８】
こうして、浴槽１００に貯留された水の循環が開始された後、コントローラ５１は、浴槽温度検出センサ４５により検出される温度を監視し、その温度が設定温度以上となっている間、待機状態となる（ｓ３３０：ＹＥＳ、ｓ３４０：ＮＯ）。この待機状態のときに「保温モード」が設定解除されると（ｓ３４０：ＹＥＳ）、循環ポンプ３３の停止により水の循環が停止させられた後（ｓ３９０）、風呂給湯動作が終了する。
【００３９】
一方、浴槽温度検出センサ４５により検出される温度が設定温度未満となったら（ｓ３３０：ＮＯ）、コントローラ５１は、ガスバーナ３７による循環路３１の加熱を開始させる（ｓ３５０）。このときの加熱は、加熱温度検出センサ４７に検出された温度が、設定温度付近で保たれるように制御される。
【００４０】
こうして、加熱温度検出センサ４７に検出された温度が設定温度未満となっている間（ｓ３６０：ＹＥＳ、ｓ３７０：ＮＯ）、コントローラ５１は、ガスバーナ３７による循環路３１の加熱を継続する。この加熱継続中にも、「保温モード」が設定解除されると（ｓ３７０：ＹＥＳ）、循環ポンプ３３の停止により水の循環が停止させられた後（ｓ３９０）、風呂給湯動作が終了する。
【００４１】
そして、ガスバーナ３７による循環路３１の加熱継続中に、加熱温度検出センサ４７に検出された温度が設定温度以上となったら（ｓ３６０：ＮＯ）、ガスバーナ３７による循環路３１の加熱を停止させる（ｓ３８０）。
【００４２】
ここまでに行われる循環路３１の加熱開始および停止は、「保温モード」が設定解除されるまで繰り返される（ｓ３３０〜ｓ３８０）。
なお、水の循環および循環路３１の加熱中に、給湯器のスタンバイ状態が解除された場合には、循環ポンプ３３による水の循環、および、上述したガスバーナ３７による循環路３１の加熱は停止され、直ちに風呂給湯動作が終了する。
（２−３）予約運転動作
続いて、メインリモコン５３またはサブリモコン５５に対し、予約運転を指令する操作が行われることにより開始される予約運転動作の手順を図４に基づいて説明する。この「予約運転を指令する操作」とは、予約時刻および予約温度を任意に指定し、予約時刻に予約温度の水を浴槽１００に貯留した状態とすべきことを指令するための操作である。
【００４３】
まず、コントローラ５１は、指定された予約時刻および予約温度を、予約運転ためのパラメータ（設定時刻、設定温度）として設定（内蔵メモリに記憶）する（ｓ４００）。以降、こうして設定された予約時刻、予約温度は、「設定時刻」「設定温度」とする。
【００４４】
次に、コントローラ５１は、設定時刻までの残り時間をチェックし（ｓ４１０）、残り時間が所定のしきい値以下となるまで待機状態となり（ｓ４１０：ＮＯ）、残り時間がしきい値以下となったら（ｓ４１０：ＹＥＳ）、上述したのと同様の風呂給湯動作を行った後（ｓ４２０）、予約運転動作を終了する。
【００４５】
この「しきい値」は、浴槽１００に設定水量の水を貯留するのに必要な時間として定められる値であり、具体的にいえば、風呂給湯動作において設定時間までに設定温度の水を貯留するのに必要となる時間のことである。
（２−４）凍結防止動作
続いて、給湯器がスタンバイ状態となった以降、繰り返し行われる凍結防止動作を図５に基づいて説明する。
【００４６】
まず、コントローラ５１は、上述した手動給湯動作および風呂給湯動作のいずれか（他の動作）が行われている間、待機状態となる（ｓ５００：ＮＯ）。
一方、いずれの動作も行われていなければ（ｓ５００：ＹＥＳ）、コントローラ５１は、通水路１１内の温度（水温度）を検出し（ｓ５１０）、その温度が、水が凍結する可能性がある範囲外の値として設定された所定の設定温度以下であるか否かをチェックする（ｓ５２０）。ここでは、入水温検出センサ１７、加熱温度検出センサ１９それぞれにより検出される温度がチェックされ、いずれかが設定温度以下であれば、温度が設定温度以下である、と判定される。
【００４７】
ここで、検出された温度が設定温度より高くなっていれば（ｓ５２０：ＮＯ）、コントローラ５１は、外気温度を検出し（ｓ５３０）、その温度が、上記と同様の設定温度以下であるか否かをチェックする（ｓ５４０）。ここでは、外気温検出センサ５７により検出される温度に基づいて判定が行われる。
【００４８】
ここで、検出された温度が設定温度より高くなっていれば（ｓ５４０：ＮＯ）、上述した他の動作が行われているか否かのチェックに戻る（ｓ５４０→ｓ５００）。
また、通水路１１内の水温度が設定温度以下となっている場合（ｓ５２０：ＹＥＳ）、または、外気温度が設定温度以下となっている場合（ｓ５４０：ＹＥＳ）、コントローラ５１は、水量制御弁２５を動作させることで通水路１１の上流側を閉鎖する（ｓ５５０）。
【００４９】
次に、コントローラ５１は、通水弁２８を動作させることにより、通水路１１の下流側に位置する風呂行き流路２７を開放させると共に（ｓ５６０）、連通弁６５を動作させることにより通水路１１を大気側と連通させる（ｓ５７０）。
【００５０】
これにより、連結部位６３を介して大気側から浴槽１００へと至る経路が形成される。このとき、連結部位６３を介して大気側との間で空気の流通経路が形成されるため、通水路１１に水が残留している場合において、この水は、通水路１１の下流側に落とし込まれ、浴槽１００へと排出されることになる。
【００５１】
次に、コントローラ５１は、通水路１１内の温度（水温度）および外気温を一定時間（例えば、１０秒）にわたって検出した履歴を取得する（ｓ５８０）。ここでは、入水温検出センサ１７、加熱温度検出センサ１９それぞれにより検出される温度のいずれか、または、２つ以上の温度の平均値、が一定時間にわたって監視され、その推移である履歴が、水温度の履歴として取得される。また、外気温検出センサ５７により検出される温度が一定時間にわたって監視され、その水位である履歴が、外気温の履歴として取得される。
【００５２】
次に、コントローラ５１は、上記取得された履歴で規定される温度推移のパターンに基づいて、通水路１１内に水が残留しているか否かをチェックする（ｓ５９０）。ここでは、温度の履歴で規定される温度推移のパターンを、外気温の履歴で規定されるパターンと対比し、両パターンの相関性が他と比べて低下している時間帯があることをもって、通水路１１内に水が残されていると判定する。
【００５３】
上述したチェックの結果、通水路１１内に水が残されていると判定した場合（ｓ５９０：ＹＥＳ）、コントローラ５１は、凍結防止用ヒータ６１による通水路１１の加熱を行う（ｓ６００）。ここでは、入水温検出センサ１７、加熱温度検出センサ１９のうち、少なくともいずれかの温度が設定温度以上となるまでの間、凍結防止用ヒータ６１による通水路１１の加熱が継続的に行われる。このときの加熱時間は、通水路１１内に残されている水を凍結するのに充分な時間として定められたものである。
【００５４】
こうして、通水路１１の加熱が行われた後（ｓ６００）、または、通水路１１内に水が残されていないと判定された場合（ｓ５９０：ＮＯ）、コントローラ５１は、水量制御弁２５、通水弁２８および連通弁６５それぞれを動作させることで開閉状態を初期状態へと戻した後（ｓ６１０）、上述した他の動作が行われているか否かのチェックに戻る（ｓ６１０→ｓ５００）。
【００５５】
本実施形態において、この初期状態とは、例えば、水量制御弁２５および通水弁２８が通水路１１を閉鎖し、連通弁６５が連結部位６３を閉鎖している状態のことである。
（３）作用，効果
このように構成された給湯器によれば、外気温度および水温度のいずれかが所定の温度以下となった際に、通水路１１の上流側と閉じ、かつ、下流側を開くことにより（図５のｓ５５０，ｓ５６０）、通水路１１に残された水を通水路１１の下流側から排出することができる。
【００５６】
そのため、この「所定温度」を通水路内に残された水が凍結する可能性がある範囲外に設定しておけば、この水が凍結する前に通水路１１の下流側から排出することで、水の凍結による通水路１１の破損を防止することができる。
【００５７】
このように、外気温度または水温度に応じて水を排出することで通水路１１の破損を防止できることから、通水路１１に残存する水を加熱する凍結防止用ヒータ６１への通電量を低減することが可能となる。特に、設定温度を、水が凍結する温度よりも一定温度だけ高く設定しておくことにより、凍結防止用ヒータ６１等を廃止することも可能となる。
【００５８】
こうして、凍結防止用ヒータ６１等を廃止したり、凍結防止用ヒータ６１への通電量を低減したりすることで、結果的に給湯器の消費（運転）エネルギーを低減することができる。
【００５９】
また、上記実施形態では、通水路１１における連結部位６３を大気と連通することにより（図５のｓ５７０）、大気側から通水路１１の下流側に至る空気の流路を形成できるため、通水路１１に残存する水をより排出しやすくすることができる。
【００６０】
また、上記実施形態では、通水路１１の開閉が行われた以降（図５のｓ５５０〜ｓ５７０）、通水路１１内に水が残されていると推定される場合に（同図ｓ５９０「ＹＥＳ」）、通水路１１を加熱して水が凍結しないようにすることができ、これにより、凍結による通水路１１の破損を防止することができる。
（４）変形例
以上、本発明の実施の形態について説明したが、本発明は、上記実施形態に何ら限定されることはなく、本発明の技術的範囲に属する限り種々の形態をとり得ることはいうまでもない。
【００６１】
例えば、上記実施形態においては、浴槽１００周辺の外気温度を、外気温検出センサ５７により直接的に特定するように構成されている。しかし、浴槽１００周辺の外気温度は、例えば、浴槽温度検出センサ４５、加熱温度検出センサ１９などの検出値に基づいて推定する、つまり間接的に特定するように構成してもよい。
【００６２】
また、上記実施形態では、サブリモコン５５に外気温検出センサ５７が設けられているが、この外気温検出センサ５７は、サブリモコン５５以外の構成要素や、浴室内部に設けられていてもよい。
【００６３】
また、上記実施形態では、凍結防止動作において、入水温検出センサ１７、加熱温度検出センサ１９それぞれにより検出されるいずれかの温度が設定温度以下であることをもって、水温度が設定温度以下であると判定するように構成されている（図５のｓ５２０）。しかし、ここでは、いずれか特定の温度が設定温度以下であることをもって、水温度が設定温度以下であると判定するように構成してもよい。
【００６４】
また、上記実施形態においては、通水路１１の開閉が行われた以降（図５のｓ５５０〜ｓ５７０）、水温度の履歴で規定される温度推移のパターンを、外気温度の履歴で規定されるパターンと対比し、両パターンの相関性が他と比べて低下している時間帯があることをもって、通水路１１内に水が残されていると判定している（同図ｓ５９０）。
【００６５】
しかし、ここでは、通水路の開閉が行われた以降、一定時間だけ凍結防止用ヒータ６１による加熱を実施し、その後に検出される水温度の変化パターンが、通水路１１に水が残っていない場合におけるパターンと所定のしきい値以上相違していることをもって、通水路１１内に水が残されていると判定する構成としてもよい。
（５）本発明との対応関係
以上説明した実施形態において、水量制御弁２５が本発明における止水手段であり、通水弁２８が本発明における給水手段であり、連通弁６５が本発明における大気連通手段であり、凍結防止用ヒータ６１が本発明における加熱手段であり、図５のｓ５３０が本発明における外気温特定手段であり、同図ｓ５１０，ｓ５８０が本発明における水温特定手段であり、同図ｓ５５０〜５７０が本発明における開閉制御手段であり、同図ｓ５９０が本発明における推定手段である。
【符号の説明】
【００６６】
１…給湯部、３…保温部、５…制御部、１１…通水路、１３…給湯側熱交換器、１５…ガスバーナ、１７…入水温検出センサ、１９…加熱温度検出センサ、２１…ストレーナ、２３…水量センサ、２５…水量制御弁、２７…風呂行き流路、２８…通水弁、２９…込み水量センサ、３１…循環路、３３…循環ポンプ、３５…保温側熱交換器、３７…ガスバーナ、４１…送風側熱交換器、４３…送風機、４５…浴槽温度検出センサ、４７…加熱温度検出センサ、５１…コントローラ、５３…メインリモコン、５５…サブリモコン、５７…外気温検出センサ、６１…凍結防止用ヒータ、６３…連結部位、６５…連通弁、１００…浴槽、２００…給湯栓、３００…太陽光温熱器、３１０…温熱路。
【図１】
2011141103.tif 000003
【図２】
2011141103.tif 000004
【図３】
2011141103.tif 000005
【図４】
2011141103.tif 000006
【図５】
2011141103.tif 000007